(57)【要約】      （修正有）【課題】椅子全体の占有面積を押えながら着座者の近くに上着等の衣類を位置付けることができる椅子を提供する。【解決手段】衣類を掛けるためのハンガー１０３を備え、このハンガー１０３は、上横梁２９の下辺２９ｃに懸吊姿勢で一体的に設けられたものであり、衣類を掛けるためのハンガー本体１０５と、このハンガー本体１０５を上横梁２９との間に隙間１０７を維持した状態で上横梁２９に側方への移動が禁止された状態で懸吊支持させる懸吊部材１０９とを具備してなる。【選択図】図４
2011045572.tif 000002
【特許請求の範囲】
【請求項１】
背凭れにハンガーを設けてなる椅子であって、
前記背凭れが左右対をなす背フレームと、これら背フレームを結合する横梁とを備えたものであり、前記ハンガーが、前記横梁の下辺に幅方向への移動が禁止された懸吊姿勢で設けられていることを特徴とする椅子。
【請求項２】
前記ハンガーが、衣類を掛けるためのハンガー本体と、このハンガー本体を前記横梁との間に隙間を維持した状態で前記横梁に懸吊支持させる懸吊部材とを具備してなる請求項１記載の椅子。
【請求項３】
前記横梁が、その中央部が後方に突出するように湾曲したものであり、前記ハンガー本体が、この横梁の形状にほぼ沿うような湾曲形状をなしている請求項１または２記載の椅子。
【請求項４】
前記ハンガー本体が、その両端部前面部側に衣類を案内するための面取部を有している請求項１、２または３記載の椅子。
【請求項５】
前記背凭れが、左右対をなす背フレームと、これら両背フレーム間に張設された張地と、前記背フレームの上部間に架設された上横梁と、前記背フレームの下部間に架設された下横梁とを具備してなるものであり、前記ハンガーが前記上横梁に設けられている請求項１、２、３または４記載の椅子。
【請求項６】
前記上横梁及び下横梁が、張地との間に空間を形成され得るように構成されたものである請求項５記載の椅子。
【請求項７】
前記下横梁と張地との間の空間が、前記上横梁と張地との間の空間よりも大きく形成されたものである請求項６記載の椅子。
【請求項８】
前記した横張と張地との間の空間が前記上横梁と張地との間の空間よりも前方に位置付けられているものである請求項６又は７記載の椅子。
【請求項９】
前記ハンガーが、前記横梁に一体に成形されたものである請求項１、２、３、４、５、６、７又は８記載の椅子。
【請求項１０】
前記ハンガーが、前記横梁に対して動作可能に設けられたものである請求項１、２、３、４、５、６、７又は８記載の椅子。
【請求項１１】
前記ハンガーが、前記横梁に対して着脱可能に設けられたものである請求項１、２、３、４、５、６、７又は８記載の椅子。
【請求項１２】
前記ハンガーが、前記横梁に対して上下方向にスライド可能に設けられたものであり、前記ハンガーが、少なくとも前記懸吊部材が前記横梁に収容される収容姿勢と、当該収容姿勢から下方へスライドして前記ハンガー本体と前記横梁との間に前記隙間を形成した使用姿勢とをとり得るものである請求項１０又は１１記載の椅子。
【請求項１３】
前記ハンガーが、前記横梁に対して回転可能に設けられたものである、前記ハンガーが、少なくとも前記懸吊部材が前記横梁と同じ或いは高い位置に位置付けられた非使用姿勢と、当該非使用姿勢からハンガー本体を下方へ回転させて前記横梁の下方に前記隙間を形成した使用姿勢とをとり得るものである請求項１０又は１１記載の椅子。
【発明の詳細な説明】
【技術分野】
【０００１】
本発明は、フリーアドレスタイプのオフィスで好適に使用され得る椅子に関するものである。
【背景技術】
【０００２】
フリーアドレス形式のオフィスレイアウトを採用したフリーアドレスオフィス（例えば、下記非特許文献を参照）は、１９８０年代後半に始まったとされる。フリーアドレスオフィスでは、執務者個々人の自席を固定せず、誰でも自由に利用できるデスク及び椅子を配したカフェスタイルのフロアを構築する。
【０００３】
そしてこのようなフリーアドレスオフィスの場合、執務者は、必要書類やパーソナルコンピュータ等を予め勤務者に割り当てられたロッカー等から取り出し、それらをオフィス内に持参し、空いている席に着いて仕事をする。
【０００４】
つまり、このよう態様を想定すると、執務者がロッカー等から必要書類やパーソナルコンピュータ等を持ち出して、これらを確実に執務者の近辺に位置付けることを重視すれば、勿論執務者すなわち着座者の着用している上着等もまた、着座者自身の近辺に位置付けることも重視されることとなり、結果として、特許文献１のような態様のハンガー付の椅子を採用することが考えられる。当該特許文献１に記載のものは、着座者が着席する際に別の場所へ移動することなく上着などを掛けることができるものとなっている。そして斯かる特許文献１記載の椅子のように、従来のハンガー付の椅子は、上着などの衣服をハンガーに掛ける場合に衣服の下端がなるべく床面に触れないよう、ハンガーは椅子における相対的に高い位置に設けることが考えられている。具体的には、ハンガーは背の後方上部に設けられたものとなっている。
【先行技術文献】
【特許文献】
【０００５】
【特許文献１】特開２００８−４９０８１号公報
【非特許文献】
【０００６】
【非特許文献１】嶋村仁志、山田哲弥、杉山武、岩田美成、「研究執務スペースのフリーアドレス化に関する研究その１：折畳移動机を用いたフリーアドレス・オフィスのユーザー満足度評価による効果分析」、日本建築学会計画系論文集、社団法人日本建築学会、１９９８年７月３０日、Ｎｏ．５０９、ｐｐ．１２９−１３４
【非特許文献２】岩切一幸、毛利一平、外山みどり、野瀬かおり、落合孝則、城内博、斉藤進、「フリーアドレス形式オフィスレイアウトでのＶＤＴ作業者の姿勢および身体的疲労感」、産業衛生学雑誌、社団法人日本産業衛生学会、２００６年１月２０日、Ｖｏｌ．４８、ｐｐ．７−１４
【発明の概要】
【発明が解決しようとする課題】
【０００７】
しかしながら、上述の特許文献１記載の椅子の通り、ハンガーを背の後方上部に設けた場合には、結果として椅子自体の占有面積を大きくしてしまうこととなり、オフィス内での椅子の移動や取り回しの際に必要な面積もそれに応じて増大してしまうものとなる。
【０００８】
すなわち、上記フリーアドレスオフィスにおいて椅子にハンガーを設ける場合には、なるべく占有面積の増大を抑制しながら上着等を位置付けておくことが求められている。
【０００９】
本発明は、このような点に着目したものであり、椅子全体の占有面積を押えながら着座者の近くに上着等の衣類を位置付けることができる椅子を提供することを目的としている。
【課題を解決するための手段】
【００１０】
本発明は、このような目的を達成するために、次のような手段を講じたものである。すなわち本発明に係る椅子は背凭れにハンガーを設けてなる椅子であって、前記背凭れが左右対をなす背フレームと、これら背フレームを結合する横梁とを備えたものであり、前記ハンガーが、前記横梁の下辺に側方への移動が禁止された懸吊姿勢で設けられていることを特徴とする。
【００１１】
ここで、「側方への移動が禁止された懸吊姿勢」とは、単に横梁に対して固定している態様に限られることはなく、当該横梁から上下に突没するように移動する対称、さらには前後方向に回転するように揺動可能に吊しておくといった態様も含まれる概念である。
【００１２】
このようなものであれば、ハンガーは横梁の下方に位置付けられるものとなるので、椅子の後ろ側にハンガーが大きく出っ張り椅子自体の占有面積が増大してしまうという不具合を有効に回避することができる。そうすることにより、ハンガーや、当該ハンガーに掛けた衣類がオフィス内の周りの構造物に干渉することが有効に抑制される。その結果、自席が特定されていないフリーアドレスオフィスにおいても周りに干渉したり、干渉されたりすること無く着座者は好適に執務に集中することができる。
【００１３】
ハンガーをなるべくコンパクトに横梁に設け得る構成としては、ハンガーが、衣類を掛けるためのハンガー本体と、このハンガー本体を横梁との間に隙間を維持した状態で横梁に懸吊支持させる懸吊部材とを設ける構成を挙げることができる。
【００１４】
また横梁が、その中央部が後方に突出するように湾曲したものであり、ハンガー本体が、この横梁の形状にほぼ沿うような湾曲形状をなしているものであれば、衣類を前向けに掛け易いものとなるとともに、着座者の動作による椅子の動作によってハンガーが周りに干渉することを有効に回避することができる。他方、ハンガー本体が、その両端部前面部側に衣類を案内するための面取部を有しているものであれば、衣類を前向けに掛けるのスムーズな動作に寄与し得るともに、衣類を好適に後ろ向けにも掛け易いものとなる。
【００１５】
ハンガー下方の空間を確保することで長尺の衣類も床に触れずに掛け得るものとするための具体的な構成としては、背凭れが、左右対をなす背フレームと、これら両背フレーム間に張設された張地と、背フレームの上部間に架設された上横梁と、背フレームの下部間に架設された下横梁とを具備してなるものであり、ハンガーが上横梁に設けたものを挙げることができる。
【００１６】
そして上横梁及び下横梁が、張地との間に空間を形成され得るように構成されたものであれば、上横梁と張地との間の空間を衣類の上端を位置づけておいて、下横梁と張地との間の空間には衣類の下側を収容させて、ハンガーに掛けた際に椅子と衣類とを合わせた使用時の占有面積の増大を有効に抑制することができる。
【００１７】
特に下横梁と張地との間の空間が、上横梁と張地との間の空間よりも大きく形成されたものであればコートや厚手の上着を掛けた場合でもこれら衣類の下端が使用時の占有面積を増大させることを好適に回避することができる。さらに下横梁と張地との間の空間が上横梁と張地との間の空間よりも前方に位置付けられているものであれば、衣類をより着座者に近づけてさらなる占有面積の抑制を奏するものとなる。
【００１８】
そしてハンガーを耐久性の高いものとするためには、ハンガーを横梁に一体に成形されたものとすることが望ましい。
【００１９】
また他方、本発明において、ハンガーを横梁に対して動作可能に設ければ、使用時にはより望ましい姿勢で好適に衣類を掛け得るものとなる。
【００２０】
さらに、ハンガーの使用頻度に応じてハンガーの使用の是非を選択したい場合には、ハンガーを横梁に対して着脱可能に設けたものとしてもよい。
【００２１】
ハンガーが動作可能に構成されたものの具体的な構成として、ハンガーが、横梁に対して上下方向にスライド可能に設けられ、少なくとも懸吊部材が横梁に収容される収容姿勢と、当該収容姿勢から下方へスライドしてハンガー本体と横梁との間に隙間を形成した使用姿勢とをとり得るものを挙げることができる。このようなものであれば、ハンガーを使用しないときにはコンパクトに構成することができ、より一層椅子の占有面積の増大を回避し得るものとなる。
【００２２】
またハンガーが動作可能に構成されたものの他の構成として、ハンガーが、横梁に対して回転可能に設けられたものである、ハンガーが、少なくとも懸吊部材が横梁と同じ或いは高い位置に位置付けられた非使用姿勢と、当該非使用姿勢からハンガー本体を下方へ回転させて横梁の下方に隙間を形成した使用姿勢とをとり得るものを挙げることが出来る。
【００２３】
このようなものであれば、非使用姿勢において、懸吊部材が横梁の前側に位置付ければ占有面積の増大を回避することになり、反対に非使用姿勢において、懸吊部材が横梁の後側に位置付ければ衣類を掛けやすい態様とすることができる。
【発明の効果】
【００２４】
本発明によれば、ハンガーは横梁の下方に位置付けられるものとなるので、椅子自体の占有面積が増大してしまうという不具合を有効に回避することができる。そうすることにより、ハンガーや、当該ハンガーに掛けた衣類がオフィス内の周りの構造物に干渉することが有効に抑制することを実現して、着座者が好適に執務に集中し得る椅子を提供することが可能となる。
【図面の簡単な説明】
【００２５】
【図１】本発明の一実施形態を示す全体斜視図。
【図２】同実施形態の前面側を一部省略して示す斜視図。
【図３】同実施形態の前面側を一部省略して示す分解斜視図。
【図４】同実施形態の背面側を一部省略して示す斜視図。
【図５】同実施形態の背面側を一部省略して示す分解斜視図。
【図６】同実施形態を張地の片半部及び脚体を省略して示す正面図。
【図７】同実施形態を張地の片半部及び脚体を省略して示す平面図。
【図８】同実施形態を一部省略して示す右側面図。
【図９】図７におけるＡ−Ａ線端面図。
【図１０】図７におけるＢ−Ｂ線端面図。
【図１１】同実施形態の張地の張設前状態を示した背面図。
【図１２】図１１におけるＣ−Ｃ線拡大端面図。
【図１３】図１１におけるＤ−Ｄ線拡大端面図。
【図１４】図８におけるＥ−Ｅ線拡大端面図。
【図１５】同実施形態の変形例に係る要部を示す図。
【図１６】同実施形態の他の変形例に係る構成説明図。
【図１７】同実施形態のさらに他の変形例に係る構成説明図。
【発明を実施するための形態】
【００２６】
以下、本発明を事務用回転椅子に適用した場合の一実施形態について図１ないし図１４を参照して説明する。
【００２７】
この椅子は、図１に示すように、脚体１と、この脚体１により回転可能に支持された支持基部３と、この支持基部３に支持された座５及び背凭れ７とを具備してなる。
【００２８】
ここで本実施形態に係る椅子は、背凭れ７の後述する上横梁２９からハンガー１０３を懸吊させていることを特徴しているものであるが、斯かるハンガー１０３の具体的な構成については後に詳述する。以下、椅子の具体的な構成について説明する。
【００２９】
脚体１は、図１に示すように、キャスタ９を有した脚羽根タイプの脚ベース１１と、この脚ベース１１の中心部に立設した脚支柱１３とを具備してなる。前記脚支柱１３は、ガススプリングを主体に構成された通常のもので、この脚支柱１３の上端部に前記支持基部３が取り付けられている。
【００３０】
支持基部３は、図３ないし図８に示すように、後方に向かって漸次幅狭となる平面視ほぼ三角形状をなすものであり、前記脚支柱１３の上端部に取り付けられる底壁３ａと、この底壁３ａの周縁に設けられた周壁３ｂと、この周壁３ｂの上端に蓋着された天壁３ｃとを具備してなる。この支持基部３には、前記脚体１のガススプリングを制御するための操作レバー３ｄが設けられている。
【００３１】
座５は、図１、図３、図６ないし図８に示すように、左右対をなす座フレーム１５と、これら両座フレーム１５間に張設された可撓性のある座張地１７と、この座張地１７との間に空間１９を形成しつつ前記両座フレーム１５の前端部１５ｂ間に介設されその介設状態で前記座張地１７に張力を付与する前横梁２１とを具備してなる。
【００３２】
背凭れ７は、図１、図３、図６ないし図８に示すように、左右対をなす背フレーム２３と、これら両背フレーム２３間に張設された可撓性のある背張地２５と、この背張地２５との間に後述する衣類収容空間２７を形成しつつ前記両背フレーム２３の上部２３ａ間に介設されその介設状態で前記背張地２５に張力を付与する上横梁２９と、前記背張地２５との間に後述する衣類挿通空間３１を形成しつつ前記両背フレーム２３の下部２３ｂ間に介設されその介設状態で前記背張地２５に張力を付与する下横梁３３とを具備してなる。
【００３３】
前記座フレーム１５と前記背フレーム２３とは、図１ないし図８に示すように、連続したものであり（連続した座フレーム１５と背フレーム２３とを「フレームＦ」と総称する場合がある）、前記座５と背凭れ７とが一体となるように構成されている。すなわち、左の座フレーム１５と左の背フレーム２３、及び右の座フレーム１５と右の背フレーム２３とはそれぞれ一本の連続した金属素材を一体に成形することにより一体に構成されている。
【００３４】
前記左のフレームＦ及び右のフレームＦの各外側面Ｆａには、図８ないし図１０に示すように、前記座張地１７及び前記背張地２５を取り付けるための取付溝３５が形成されている。これらの取付溝３５は、前記各フレームＦの裏面Ｆｂよりも表面Ｆｃに近い位置に配されている。ここで、裏面Ｆｂとは、座フレーム１５の場合には下面を意味し、背フレーム２３の場合には背面を意味する。また、表面Ｆｃとは、座フレーム１５の場合には上面を意味し、背フレーム２３の場合には前面を意味する。
【００３５】
前記座張地１７及び前記背張地２５（以下、「張地Ｍ」と総称する場合がある）は、図１、図３、図６ないし図８、及び図１１ないし図１３に示すように、合成樹脂製の糸を織成または編成してなるメッシュ状の張地素材を所定形状に裁断することにより一体に構成されており、着座面である表面Ｍａ側から裏面Ｍｂ側に存在するものを視認することができるような透光性を備えている。
【００３６】
この張地Ｍの左右両縁部Ｍｃには、図１１及び図１３に示すように、帯状をなす剛性のある押し込み材３７が設けられている。この押し込み材３７は、前記張地Ｍの縁部Ｍｃに沿って連続して設けられたものであり、前記張地Ｍの縁部Ｍｃの一面側、すなわち裏面Ｍｂ側に縫製等により添着されている。また、この押し込み材３７は、合成樹脂等により作られたもので、前記取付溝３５に挿入可能な厚み寸法Ｔ１を有するとともに、前記取付溝３５の奥行き方向の開口寸法よりも大きな幅寸法Ｗ１を有したものである。
【００３７】
そして、図１３に示すように、この張地Ｍの各縁部Ｍｃを前記押し込み材３７とともに前記フレームＦの外面Ｆａ側に設けられた取付溝３５に反転させて挿入することにより、当該張地Ｍを左右のフレームＦ間に張設している。この状態で、左右のフレームＦ間に前横梁２１、上横梁２９及び下横梁３３を介在させることによって前記張地Ｍに張力が付与される。このようにして張力を付与された張地Ｍは、左右のフレームＦの形状に沿った形態となる。すなわち、左右の背フレーム２３は、下端の近傍に着座者の腰形状に対応して前方に突出する突出部２３ｃを有したものであり、前記背張地２５が下横梁３３により張力を付与されることにより前記突出部２３ｃに対応した突出形状をなすように張設されている。
【００３８】
また、前記張地Ｍの左右のフレームＦに支持されていない縁部Ｍｄ、Ｍｅは、図３、図１１及び図１２に示すように、袋状のものであり、その縁部Ｍｄ、Ｍｅ内に透明な芯材３９が内蔵されている。具体的には、前記座５の前縁に位置する張地Ｍ（座張地１７）の縁部Ｍｄ及び前記背凭れ７の上縁に位置する張地Ｍ（背張地２５）の縁部Ｍｅに芯材３９がそれぞれ設けられている。これらの芯材３９は、それぞれ透明なシート材を一定長さの帯状に裁断してなるもので、これら各芯材３９の両端部３９ａと前記押し込み材３７との間には芯材３９が存在しない可撓変形部４１を形成してなる。
【００３９】
前記前横梁２１は、図３ないし図６に示すように、中間に略平坦な平坦部２１ａを有した正面視Ｕ字形をなしており、その左右両端部２１ｂに左右の座フレーム１５の内側面１５ａにそれぞれ直接的に密接する対をなす取付壁４５を備えている。そして、これら各取付壁４５をそれぞれ複数の止着具たるボルト４７を用いて対応する座フレーム１５に止着している。具体的には、この取付壁４５に貫通させた２本のボルト４７を前記座フレーム１５に埋設したナット４９に締着することにより、この取付壁４５を前記座フレーム１５に固定している。なお、前横梁２１の両端部２１ｂには、前記各取付壁４５と協働して座フレーム１５を挟持する外装壁５１をそれぞれ備えている。前記取付壁４５は、前記座フレーム１５に沿って延びる形状をなしており、前記取付壁４５と前記外装壁５１とによって構成される嵌合部５３が、座フレーム１５に沿って延びる前後に長い形態をなしている。しかして、前記取付壁４５は、その厚み寸法Ｔ２よりも座フレーム１５に沿う方向の長手寸法Ｌ２が大きくなるように設定されている。
【００４０】
前記上横梁２９は、図２ないし図７及び図１０に示すように、その中央部２９ａが後方に突出するように湾曲したものであり、その左右両端部２９ｂに左右の背フレーム２３の内側面２３ｄにそれぞれ直接的に密接する対をなす取付壁５５を備えている。そして、これら各取付壁５５をそれぞれ複数の止着具たるボルト５７を用いて対応する背フレーム２３に止着している。具体的には、この取付壁５５に貫通させた２本のボルト５７を前記背フレーム２３に埋設したナット５９に締着することにより、この取付壁５５を前記背フレーム２３に固定している。なお、上横梁２９の両端部２９ｂには、前記各取付壁５５と協働して背フレーム２３を挟持する外装壁６１をそれぞれ備えている。前記取付壁５５は、前記背フレーム２３に沿って延びる形状をなしており、前記取付壁５５と前記外装壁６１とによって構成される嵌合部６３が、背フレーム２３に沿って延びる上下に長い形態をなしている。しかして、前記取付壁５５は、その厚み寸法Ｔ３よりも背フレーム２３に沿う方向の長手寸法Ｌ３が大きくなるように設定されている。そして本実施形態では上述したとおり、当該上横梁２９と張地Ｍのうち背張地２５との間に形成された空間を、後述するハンガーに掛けた想像線で図示する衣類１０４を収容し得る空間である衣類収容空間２７に設定している。
【００４１】
前記下横梁３３は、図２ないし図７及び図９に示すように、着座者の腰形状に対応して前方に突出する背フレーム２３の突出部２３ｃの近傍同士を結合するものであって、その左右方向の中央部３３ａが後方に突出するように湾曲しており、その左右両端部３３ｂに左右の背フレーム２３の内側面２３ｄにそれぞれ直接的に密接する対をなす取付壁６５を備えている。そして、これら各取付壁６５をそれぞれ複数の止着具たるボルト６７を用いて対応する背フレーム２３に止着している。具体的には、この取付壁６５に貫通させた２本のボルト６７を前記背フレーム２３に埋設したナット６９に締着することにより、この取付壁６５を前記背フレーム２３に固定している。なお、下横梁３３の両端部３３ｂには、前記各取付壁６５と協働して背フレーム２３を挟持する外装壁７１をそれぞれ備えている。前記取付壁６５は、前記背フレーム２３に沿って延びる形状をなしており、前記取付壁６５と前記外装壁７１とによって構成される嵌合部７３が、背フレーム２３に沿って延びる上下に長い形態をなしている。しかして、前記取付壁６５は、その厚み寸法Ｔ４よりも背フレーム２３に沿う方向の長手寸法Ｌ４が大きくなるように設定されている。そして本実施形態では上述したとおり、当該下横梁３３と張地Ｍすなわち背張地２５との間に形成された空間を、後述するハンガー１０３に掛けた想像線で図示する衣類１０４を挿通し得る空間である衣類挿通空間３１に設定している。そしてこの衣類挿通空間３１は、衣類収容空間２７の大きさと同じであるか或いは大きく設定されている。また当該衣類挿通空間３１は張地Ｍの後側に添って形成されているため、衣類収容空間２７よりも若干前方に形成されたものとなっている。
【００４２】
このようにしてなる本実施形態にかかる椅子は、図２及び図８に示すように、座５と背凭れ７とが一体に構成されており、これら座５及び背凭れ７が前記支持基部３に一体に設けられた前横梁２１によって片持ち支持されている。そして、この支持基部３と前記座５との間に荷物載置面７５が設けられ、その荷物載置面７５と前記座５の裏面５ａとの間に荷物Ｂ１を出し入れ自在に収容するための荷物収容空間７７が形成されている。
【００４３】
前記荷物載置面７５は、図２及び図３に示すように、平面視においてその外縁７５ａの一部が前記支持基部３の外縁３ｅよりも外側に位置する延出部７９を備えており、その延出部７９に埃排除手段８１が設けられている。すなわち、この実施形態における荷物載置面７５は、前横梁２１の平坦部２１ａの上面２１ｃと支持基部３の上に着脱可能に装着された棚板８３の上面８３ａにより形成されている。換言すれば、前記支持基部３の上面３ｆを覆い隠すようにして前記棚板８３が設けられており、その棚板８３に前記荷物載置面７５の主要部、すなわち荷物載置面７５の一部が形成されている。なお本実施形態の椅子では、この荷物載置面７５上に、後述するハンガー１０３に掛けられた想像線で図８に図示される衣類１０４が例えばコートなど、図示のものよりも長尺なものであった場合にその下端を載せ置いておくことも可能である。
【００４４】
前記棚板８３は、図２ないし図８に示すように、その上面８３ａで荷物Ｂ１を装脱可能に支持するための荷物載置面７５の一部を形成する棚板本体８５と、この棚板本体８５の下面に設けられ前記支持基部３に着脱可能に外嵌される外嵌壁体８７とを備えている。
【００４５】
前記棚板本体８５は、前記支持基部３の上面３ｆに載置されるものであって、平面視において支持基部３よりも大きな面積を有しており、前記支持基部３よりも外側に位置する部位に前記埃排除手段８１を構成する複数の貫通孔８２が設けられている。この棚板本体８５は、平面視においてＡ４版サイズよりも大きな面積を有したもので、その左右両側縁部８５ａに荷物Ｂ１の落下を防止するための湾曲部８５ｂを備えている。この棚板本体８５は、その中央部を前記脚支柱１３の軸心である支持基部３の回転中心Ｏにほぼ一致させて配設されており、前記荷物載置面７５が前記支持基部３の回転中心Ｏを含む位置に形成されるようにしている。
【００４６】
前記外嵌壁体８７は、前記支持基部３の外周面３ｇに重なり合う包持部８７ａと、前記支持基部３の底面周縁部分３ｈに重なり合う抜止部８７ｂとを備えてなるもので、前記支持基部３に後方から装脱し得るようにその前面が開放されている。また、前記外嵌壁体８７は、前記包持部８７ａの外面を前記棚板本体８５の下面に接続するためのリブ８７ｃを備えている。
【００４７】
また、この実施形態にかかる椅子は、図１に示すように、肘掛け８９を有している。この肘掛け８９は、図３ないし図５、図８、図１４に示すように、前記下横梁３３の外装壁７１と一体に連続形成されたものであり、前記下横梁３３の外面３３ｃと前記肘掛け８９の外面８９ａとが滑らかに一体化されている。この肘掛け８９は、前記背凭れ７から前方に延出させて設けられたものであり、前記背凭れ７に支持された肘掛け本体９１と、この肘掛け本体９１上に設けられた肘当てパット９３とを具備してなる。
【００４８】
前記肘掛け本体９１は、前記下横梁３３に一体に設けられた肘支柱９５と、この肘支柱９５の先端部に設けられた肘フレーム９７とからなり、この肘フレーム９７上に前記肘当てパット９３を装着している。具体的には、前記肘フレーム９７が、その上面に前後対をなす取付部９７ａを有した硬質の下枠部９７ｂと、この下枠部９７ｂの取付部９７ａに前後両端部を取付けた硬質の上枠部９７ｃとからなるもので、この下枠部９７ｂと上枠部９７ｃとで剛性を有したループ形状を形成している。換言すれば、この下枠部９７ｂと前記上枠部９７ｃとで窓部９９が形成される。そして、上枠部９７ｃの上に軟質の肘当てパット９３を設けている。そして、この窓部９９の開口縁９９ａに平面視において肘当てパット９３の外縁９３ａからはみ出さない状態でかばんその他の荷物Ｂ２を掛けるためのフック１０１を設けている。すなわち、このフック１０１は、前記肘フレーム９７の窓部９９に一体に形成されている。換言すれば、このフック１０１は、前記窓部９９の開口縁９９ａの下辺部分９９ｂを変形させることにより形成されたものである。
【００４９】
ここで、この実施形態に係る椅子は、図２ないし図６、そして図８に特に示すように、衣類１０４を掛けるためのハンガー１０３を備えている。このハンガー１０３は、前記上横梁２９の下辺２９ｃに懸吊姿勢で一体的に設けられたものであり、衣類を掛けるためのハンガー本体１０５と、このハンガー本体１０５を前記上横梁２９との間に隙間１０７を維持した状態で前記上横梁２９に懸吊支持させる懸吊部材１０９とを具備してなる。
【００５０】
ハンガー本体１０５は、上述した通り中央部を後方に突出するように湾曲させて設けた上横梁２９に沿うような平面視湾曲形状をなした湾曲面１０５ａを形成している。また、ハンガー本体１０５の両端部の前面側には衣類１０４を掛ける際に案内する為の面取り部１０５ｂを設けている。
【００５１】
懸吊部材１０９は、ハンガー本体１０５と上横梁２９との間に上下方向に隙間１０７を介して介在するものであり、本実施形態では上横梁２９及びハンガー本体１０５に対して一体に設けたものとなっているが、勿論、別体に設けたものであっても良く、その取り付け態様は、既存の種々の構成を適用することが可能である。
【００５２】
しかして本実施形態に係る椅子では、ハンガー１０３を上横梁に設けることによって、図８に想像線で示すように、上横梁２９と張地Ｍすなわち背張地２５との間の空間を衣類収容空間２７として利用することで、椅子自体の平面視の占有面積の増大をほとんど来たすことなく、衣類１０４を掛けておくことが可能なものとなっている。また当該椅子は、下横梁３３と張地Ｍとの間に形成された空間を上記衣類収容空間２７と同じか、それよりも大きく形成された衣類挿通空間３１として利用することによって、垂れ下がった衣類１０４の下側が平面視のスペースをコンパクトにし得るようになっている。特に、当該衣類挿通空間３１は上横梁２９と下横梁３３との位置関係から、衣類収容空間２７よりも前方に位置付けられているので、椅子の後面側に添うように衣類１０４を掛けることができる。また本実施形態では、衣類１０４がさらに長尺なものであれば、衣類挿通空間３３を挿通させた衣類１０４の下端をそのまま荷物載置面７５に載せ置くことも可能である。
【００５３】
以上のような構成とすることにより、本実施形態に係る椅子は、ハンガー１０３が横梁たる上横梁２９の下方に位置付けられるので、椅子の後ろ側にハンガー１０３が大きく出っ張ることで椅子自体の占有面積が増大してしまうという不具合を有効に回避し得たものとなっている。その結果、ハンガー１０３や、当該ハンガー１０３に掛けた衣類１０４がオフィス内の周りの構造物に干渉することが有効に抑制されたものとなっている。すなわち本実施形態では、自席が特定されていないフリーアドレスオフィスにおいても周りに干渉したり、干渉されたりすること無く着座者は好適に執務に集中し得る椅子を実現している。
【００５４】
そしてハンガー１０３をなるべくコンパクトに上横梁２９に設けるために本実施形態では、ハンガー１０３が、衣類１０４を掛けるためのハンガー本体１０５と、このハンガー本体１０５を上横梁２９との間に隙間１０７を維持した状態で上横梁２９に懸吊支持させる懸吊部材１０９とを有したものとしている。
【００５５】
また横梁たる上横梁２９が、その中央部が後方に突出するように湾曲したものであり、ハンガー本体１０５が、この横梁の形状にほぼ沿うような湾曲形状をなしているので、スーツの上着やコートといった前方を開けた形状の衣類１０４を前向けに掛け易いものとなるとともに、着座者の動作による椅子の回転動作や背持たれ７の後傾動作によってハンガー１０３が周りに干渉することを有効に回避することができる。他方、ハンガー本体１０５が、その両端部前面部側に衣類１０４を案内するための面取部１０５ｂを設けることにより、衣類１０４を前向けに掛けるのスムーズな動作に寄与し得るともに、衣類１０４を後ろ向けにも掛け易いものとなっている。
【００５６】
ハンガー１０３下方の空間を確保することで長尺の衣類１０４も床に触れずに掛け得るものとするための具体的な構成として本実施形態では、背凭れ７が、左右対をなす背フレーム２３と、これら両背フレーム２３間に張設された張地Ｍたる背張地２５と、背フレーム２３の上部間に架設された上横梁２９と、背フレーム２３の下部間に架設された下横梁３３とを具備してなるものであり、ハンガー１０３が上横梁２９に設けた態様を採用している。
【００５７】
そして上横梁２９及び下横梁３３が、張地との間に空間を形成され得るように構成することにより、上横梁２９と張地Ｍとの間の空間を衣類１０４の上端を位置づけておいて、下横梁３３と張地Ｍとの間の空間には衣類１０４の下側を収容させて、ハンガー１０３に掛けた際に椅子と衣類１０４とを合わせた使用時の占有面積の増大を有効に抑制し得たものとなっている。
【００５８】
特に下横梁３３と張地Ｍとの間の空間が、上横梁２９と張地Ｍとの間の空間よりも大きく形成されたものであればコートや厚手の上着を掛けた場合でもこれら衣類１０４の下端が使用時の占有面積を増大させることを好適に回避することができる。さらに下横梁３３と張地Ｍとの間の空間が上横梁２９と張地Ｍとの間の空間よりも前方に位置付けられているものであれば、衣類１０４をより着座者に近づけてさらなる占有面積の抑制を奏するものとなっている。
【００５９】
そして本実施形態では、ハンガー１０３上横梁２９に一体に成形することにより、必要十分な強度並びに耐久性を担保している。
【００６０】
＜変形例＞
そして以下に本実施形態に係るハンガー１０３の変形例について図１５ないし図１７を参照して説明する。これら各変形例において、上記実施形態と同じ構成要素については同じ符号を付すとともに、その詳細な説明を省略するものとする。
【００６１】
まず図１５（ａ）並びに図１５（ｂ）に示す態様は、上横梁２９に対して動作可能にハンガー１０３を設けたものである。具体的にはハンガー１０３を、上横梁２９に対して上下方向にスライド可能に設けられたものであり、ハンガー１０３が、少なくとも懸吊部材１０９が上横梁２９に収容される収容姿勢である非使用姿勢（Ｑ）と、当該非使用姿勢（Ｑ）とから下方へスライドしてハンガー本体１０５と上横梁２９との間に隙間１０７を形成した使用姿勢（Ｐ）とをとり得るものである。具体的には、上記実施形態の上横梁２９に、懸吊部材１０９の略全体を収容し得る懸吊部材収容部２９ｅとハンガー本体１０５の上側の略半分程度を収容し得るハンガー本体収容部２９ｄと、懸吊部材１０９を使用姿勢（Ｐ）で位置決めする為の図示しないストッパを設けておき、衣類１０４を掛ける際には同図（ａ）のようにハンガー本体１０５を下方に下げた使用姿勢（Ｐ）とするとともに、衣類１０４を掛けてない場合には同図（ｂ）に示すようにハンガー本体１０５を上へ押し上げることにより、懸吊部材１０９の略全体を懸吊部材収容部２９ｅに収容させてハンガー本体１０５のおよそ半分をハンガー本体収容部２９ｄに収容させ、上横梁２９並びにハンガー１０３を見かけ上略面一に形成した非使用姿勢（Ｑ）を構成し得るものである。
【００６２】
このようなものであれば、ハンガー１０３を使用しない状態での椅子の占有面積を有効に抑制することにより、よりスペースを有効に扱い得る椅子とすることができる。
【００６３】
また図１６に示す他の変形例としての態様は、図１５に同じく上横梁２９に対してハンガー１０３が動作可能に設けられたものであるが、同図ではさらに着脱可能に上横梁２９に取り付けたものとしている。
【００６４】
具体的には、上横梁２９の幅方向中央を円柱状にまでなだらかに窄ませることによってハンガー１０３支持軸２９ｆを形成しておくとともにハンガー１０３を、ハンガー本体１０５と懸吊部材１０９に加え、断面視Ｃ字状のハンガー枢着部１０８をさらに設けたものとして、当該ハンガー枢着部１０８の弾性変形によりハンガー１０３支持軸２９ｆに嵌め込むことによってハンガー１０３を幅方向への移動を禁止しつつ前後方向に回転可能に動作させ得るものである。そしてハンガー１０３が、少なくとも懸吊部材１０９が上横梁２９と同じ或いは高い位置に位置付けられた非使用姿勢（Ｑ）と、当該非使用姿勢（Ｑ）からハンガー本体１０５を下方へ回転させて前記横梁の下方に前記隙間１０７を形成した使用姿勢（Ｐ）とをとり得るものとしている。
【００６５】
このようなものであれば、同図（ｂ）に実線で示す使用姿勢（Ｐ）では、図示しない衣類１０４の自重によってハンガー本体１０５は上横梁２９の真下に位置付けられる。さらに、非使用姿勢（Ｑ）としてハンガー本体１０５を上横梁２９の前方に位置付ければ椅子の占有面積を有効に削減し得るものとなる。また他方、非使用姿勢（Ｑ）としてハンガー本体１０５を上横梁２９の後方に位置付ければ、着座者にとって衣類１０４を掛けておきやすい状態を構成した、扱いやすい態様を実現することができる。また同図（ａ）に示すような上横梁２９の形状、すなわち中央部分へ向かってなだらかに円柱状にまで変形する形状として、ハンガー１０３を付けた状態としても取り外した状態としても、ハンガー１０３や上横梁２９の中央部分を違和感なく見せ得るものとしている。
【００６６】
なお同変形例では図示しないが、ハンガー枢着部１０８とハンガー１０３支持軸２９ｆとの間にハンガー１０３を所要の角度で位置決めするための節度機構を設けたり、またハンガー本体１０５を予め上横梁２９の前方或いは後方に弾性付勢しておき、衣類１０４の掛かっていないときは当該弾性付勢によって非使用姿勢（Ｑ）をとり得るという、弾性付勢手段を別途設けたりしたものとしてもよい。
【００６７】
またさらに、図１７（ａ）に、さらに他の変形例として示すように、上記図１５及び図１６のように動作可能に設けたものとは別に、例えばビスやボルト等によって着脱可能に設けたものとしてもよい。具体的には同図に示すように、上横梁２９を部分的に切り欠くことによってハンガー１０３を取り付けるためのハンガー取付凹部２９ｇを設けるとともに、懸吊部材１０９の上方にはハンガー１０３をビス止めするためのハンガー取付板部１０８ａを設けたものとすればよい。このようなものであれば、ハンガー１０３を使用する際は図示の通りビス止めしておく一方で、ハンガー１０３を使用しない場合には、ハンガー１０３を外した際に露出する上横梁２９中央の凹みであるハンガー取付凹部２９ｇは、同図（ｂ）に示す別パーツであるカバー２９ｈを取り付けておき、見かけ上横梁２９の表面を面一に形成しておけばよい。
【００６８】
このようなものであれば、使用者は予めハンガー１０３を使用しない場合には別パーツ２９ｈを取り付けた非使用姿勢（Ｑ）としておき、椅子の占有面積を有効に節約することができる。
【００６９】
以上、本発明の実施形態について説明したが、各部の具体的な構成は、上述した実施形態のみに限定されるものではなく、本発明の趣旨を逸脱しない範囲で種々変形が可能である。
【００７０】
例えば、上記実施形態では着脱可能且つ動作可能なハンガーの態様を変形例として開示したが、勿論、横梁とは別体であるハンガーを、ビス止め等によって固定するような態様を採用したものであってもよい。またハンガー自体や懸吊部材の具体的な態様は上記実施形態のものに限定されることはなく、既存のものを含め、種々の態様のものを適用することができる。
【００７１】
その他、各部の具体的構成についても上記実施形態に限られるものではなく、本発明の趣旨を逸脱しない範囲で種々変形が可能である。
【符号の説明】
【００７２】
７…背凭れ
２３…背フレーム
２７…衣類収容空間
２９…上横梁
３１…衣類挿通空間
３３…下横梁
１０３…ハンガー
１０４…衣類
１０５…ハンガー本体
１０５ａ…湾曲面
１０５ｂ…面取部
１０７…隙間
１０９…懸吊部材
Ｐ…使用姿勢
Ｑ…非使用姿勢
【図１】
2011045572.tif 000003
【図２】
2011045572.tif 000004
【図３】
2011045572.tif 000005
【図４】
2011045572.tif 000006
【図５】
2011045572.tif 000007
【図６】
2011045572.tif 000008
【図７】
2011045572.tif 000009
【図８】
2011045572.tif 000010
【図９】
2011045572.tif 000011
【図１０】
2011045572.tif 000012
【図１１】
2011045572.tif 000013
【図１２】
2011045572.tif 000014
【図１３】
2011045572.tif 000015
【図１４】
2011045572.tif 000016
【図１５】
2011045572.tif 000017
【図１６】
2011045572.tif 000018
【図１７】
2011045572.tif 000019